(57)【要約】  本発明は、ホームオートメーション化された閉鎖装置１００の巻き取り可能要素１０の動作を検出すると信号を放出するための動作センサー１に関する。この動作センサーは、巻き取り可能要素の自由端に配置された荷重バー１８の外側に当該センサーを固定することができるハウジング２を備え、このハウジングは、少なくとも、第１のプリント回路４７上に配置された測定処理手段４３と、エネルギー蓄積手段４１と、慣性条件付き供給手段４２とを備える。【選択図】図１
2013544987.tif 000002
【特許請求の範囲】
【請求項１】
ホームオートメーション閉鎖装置（１００）の巻き取り可能要素（１０）の動作が検出されるときに信号を送信するためのモーションセンサー（１）であって、該モーションセンサーは、前記巻き取り可能要素の自由端に配置されている荷重バー（１８）の外側に該モーションセンサーを固定することができるハウジング（２）を備え、該ハウジングは、少なくとも、
第１のプリント回路（４７）上に配置された測定処理手段（４３）と、
エネルギー蓄積手段（４１）と、
慣性条件付き供給手段（４２）と、
を備える、モーションセンサーにおいて、
前記エネルギー蓄積手段及び／又は前記慣性条件付き供給手段は、前記第１のプリント回路の拡張部に挿入されていることを特徴とする、モーションセンサー。
【請求項２】
前記ハウジング（２）は、前記エネルギー蓄積手段（４１）及び／又は慣性条件付き供給手段（４２）を前記第１のプリント回路（４７）に接続する手段を備えることを特徴とする、請求項１に記載のモーションセンサー。
【請求項３】
前記エネルギー蓄積手段（４１）は、少なくとも１つの一次電池を含むことを特徴とする、請求項１又は２に記載のモーションセンサー。
【請求項４】
前記一次電池は、可撓性接点（４１ｂ）によって前記第１のプリント回路（４７）に接続されることを特徴とする、請求項３に記載のモーションセンサー。
【請求項５】
前記慣性条件付き供給手段（４２）は、可撓性導電性素子（４２ｃ、４２ｊ）によって維持された可動導電性質量体（４２ｂ、４１）を備えることを特徴とする、請求項１〜４のいずれか１項に記載のモーションセンサー。
【請求項６】
前記慣性条件付き供給手段（４２）は、前記導電性可動質量体（４２ｂ、４１）の動作の際に電気的接触を確立するように配置された固定接点（４２ｄ、４２ｆ、４２ｋ、４２ｍ）を備えることを特徴とする、請求項５に記載のモーションセンサー。
【請求項７】
前記可撓性導電性素子（４２ｃ、４２ｊ、４２ｋ、４２ｍ）及び前記固定接点（４２ｄ、４２ｆ）は、前記第１のプリント回路（４７）に接続されていることを特徴とする、請求項６に記載のモーションセンサー。
【請求項８】
前記可動質量体（４２ｂ、４１）は一次電池を含むことを特徴とする、請求項５〜７のいずれか１項に記載のモーションセンサー。
【請求項９】
前記可動質量体（４２ｂ、４１）は、前記第１のプリント回路（４７）の内側縁（４７ａ、４７ｂ）によってガイドされることを特徴とする、請求項８に記載のモーションセンサー。
【請求項１０】
前記可動質量体（４２ｂ、４１）は、前記ハウジング（２）の内壁によってガイドされることを特徴とする、請求項８に記載のモーションセンサー。
【請求項１１】
前記ハウジング（２）は非導電性であることを特徴とする、請求項１〜１０のいずれか１項に記載のモーションセンサー。
【請求項１２】
前記第１のプリント回路は、該第１のプリント回路の上面上に配置されてダイポールアンテナを形成する第１の回路配置部及び複数巻きプリントアンテナを備え、前記上面は、前記荷重バーと接触することができる前記ハウジングの面（ＦＡ）から最も遠い前記ハウジングの面（ＦＢ）に隣接していることを特徴とする、請求項１１に記載のモーションセンサー。
【請求項１３】
前記第１のプリント回路は、多層型であり、中間層における単一の回路配置部と、アレイアンテナを形成する、前記第１のプリント回路の上面上に配列された平行な素子を有するプリントアンテナとを備え、前記単一の回路配置部は、前記プリントアンテナと、前記荷重バーと接触することができる前記ハウジングの前記面（ＦＡ）との間に挿入されていることを特徴とする、請求項１１に記載のモーションセンサー。
【請求項１４】
下面上の回路配置部と、アレイアンテナを形成する、上面上に配置された平行な素子を有するプリントアンテナとを備える第２のプリント回路を備え、前記回路配置部は、前記プリントアンテナと、前記荷重バーと接触することができるハウジング面（ＦＡ）との間に挿入されていることを特徴とする、請求項１１に記載のモーションセンサー。
【請求項１５】
前記荷重バーと接触することができる前記ハウジングの面（ＦＡ）から最も遠い前記ハウジングの一方の面（ＦＢ）上に導電体を堆積させることによって得られたアンテナを備えることを特徴とする、請求項１１に記載のモーションセンサー。
【発明の詳細な説明】
【技術分野】
【０００１】
本発明は、ボックス内に配置された巻き取り管に巻き取ることができる要素を備える、建物内のホームオートメーション閉鎖装置のためのモーションセンサーに関する。そのような巻き取り可能要素は、例えばローラーシャッターである。このローラーシャッターは、巻き取り可能要素を構成するエプロン部の巻き取り又は巻き出しを可能にする電動アクチュエーター等のホームオートメーション機器に接続される。巻き取り可能要素の第１の端は、巻き取り管に接続され、第２の端、すなわち自由端は、荷重バーに接続されている。荷重バーは、その重量によって、巻き出し段階中に巻き取り可能要素を駆動することに寄与する。電動アクチュエーター、巻き取り装置及び荷重バーを備える同様の構成は、調整可能なスラットを有するローラーシャッター又は調整可能なスラットから構成されたエプロン部を有するローラーブラインドで見かけることができる。
【背景技術】
【０００２】
操作の自動性（automatic nature）という理由から、荷重バーは、その動作中、障害物に遭遇しやすい。その結果、例えば、特許文献１〜特許文献５から、荷重バー又は末端スラット（final slat）にモーションセンサーの全部又は一部を配置することが知られている。
【０００３】
このモーションセンサーは、一般に、無線周波数送信機等の通信手段を装備している。この通信手段は、荷重バーの動作がアクチュエーターの起動の結果生じたものでない場合には、アラーム信号を、アクチュエーターに送信するか又はアラームユニット等の別のホームオートメーション機器に直接送信するのにも用いられる。この状況は、ローラーシャッターの場合に侵入が試みられた状況であるか又は調整可能なスラットに強風が作用した結果である。
【０００４】
特許文献６から、強風を検出し、次いでブラインドを折り畳む命令を送信するために、加速度計が設けられたモーションセンサーをブラインドセットの荷重バーに配置することも知られている。特許文献７では、測定手段が処理手段をウェイクアップさせる。
【０００５】
特許文献２は、巻き取り要素の下端に位置する、巻き取り要素の疑似スラットにセンサー送信機が挿入されている不法侵入防止装置を記載している。
【０００６】
荷重バーが巻き取られた位置で見えることを防止し、したがって、荷重バーがポケットの一部を隠すことに寄与することを防止するために、ローラーシャッターの或る特定の製造業者は、荷重バーがボックス内部に入ったときにのみ、巻き取り動作が停止することを好む。しかしながら、ほとんどのボックスは、ボックスを通じたエネルギー損失を防止するためにますます小さな開口を有する。
【０００７】
特許文献８は、特に、シャッター荷重バー上に取り付けられて、ボックス内に入り込むことができるモーションセンサーを記載しているが、その作製に関する教示は何ら提供していない。
【０００８】
さらに、高級なローラーシャッターは、ほとんどの場合、アルミニウム製である。この結果、センサーの送信機アンテナとシャッターの導電性表面との寄生結合に起因して、従来技術に言及されている問題が生じる。
【０００９】
特許文献９は、特にアルミニウム製のスラットのうちの１つが、そのスラットに含まれる検出装置用の送信アンテナを規定するように切断されているローラーシャッターを記載している。
【００１０】
特許文献１０は、作用する厚さの点でエプロン部のスラットと同じ大きさを有するとともに検出手段及び送信手段を含む特定の末端スラットが設けられたローラーシャッターを記載している。
【先行技術文献】
【特許文献】
【００１１】
【特許文献１】英国特許第２，１８０，９７６号
【特許文献２】欧州特許第１，０１４，３２２号
【特許文献３】独国特許第２００００６８２号
【特許文献４】欧州特許第１，２４５，７７９号
【特許文献５】欧州特許第２，０６７，９２２号
【特許文献６】欧州特許出願公開第１，９４４，４４９号
【特許文献７】欧州特許第１，２９９，７９２号
【特許文献８】仏国特許出願公開第１０５０２８８号
【特許文献９】仏国特許出願公開第２，８２２，８８８号
【特許文献１０】日本国特許第３，７０７，０４５号
【発明の概要】
【発明が解決しようとする課題】
【００１２】
したがって、従来技術は、センサー用の中空のハウジングを有する、例えばプラスチック製の特定の荷重バーを作製することを提案しているか、又は信号の波長に関係した１つ若しくは複数のスリットを有する特定のアルミニウムスラットを作製することを提案している。しかしながら、これは、ローラーシャッターが設置された後、ローラーシャッターの機能改善と相反する。
【００１３】
本発明は、特に、可能な限り薄型であるにもかかわらず、アルミニウム荷重バーに配置されているときを含めて、期待される通信機能を実行することができるモーションセンサーを作製することを可能にすることによって、従来技術のこれらの問題又は欠点を解決する。したがって、シャッターが余儀なくボックス内に完全に巻きつかなければならない状況下にあるときを含めて、モーションセンサーを荷重バーに組み込まずに荷重バー上に取り付けることができる。
【課題を解決するための手段】
【００１４】
本発明によれば、ホームオートメーション閉鎖装置の巻き取り可能要素の動作が検出されるときに信号を送信するためのモーションセンサーは、前記巻き取り可能要素の自由端に配置されている荷重バーの外側に該モーションセンサーを固定することができるハウジングを備え、該ハウジングは、少なくとも、
第１のプリント回路上に配置された測定処理手段と、
エネルギー蓄積手段と、
慣性条件付き供給手段と、
を備え、
前記エネルギー蓄積手段及び／又は前記慣性条件付き供給手段は、前記第１のプリント回路の拡張部に挿入されている。
【００１５】
本発明によれば、前記ハウジングは、前記エネルギー蓄積手段及び／又は慣性条件付き供給手段を前記第１のプリント回路に接続する手段を備えることができる。
【００１６】
本発明によれば、前記エネルギー蓄積手段は、少なくとも１つの一次電池を含むことができる。
【００１７】
本発明によれば、前記一次電池は、可撓性接点によって前記第１のプリント回路に接続することができる。
【００１８】
本発明によれば、前記慣性条件付き供給手段は、可撓性導電性素子によって維持された可動導電性質量体を備えることができる。
【００１９】
本発明によれば、前記慣性条件付き供給手段は、前記導電性可動質量体の動作の際に電気的接触を確立するように配置された固定接点を備えることができる。
【００２０】
本発明によれば、前記可撓性導電性素子及び前記固定接点は、前記第１のプリント回路に接続することができる。
【００２１】
本発明によれば、前記可動質量体は一次電池を含むことができる。
【００２２】
本発明によれば、前記可動質量体は、前記第１のプリント回路の内側縁によってガイドすることができる。
【００２３】
本発明によれば、前記可動質量体は、前記ハウジングの内壁によってガイドすることができる。
【００２４】
本発明によれば、前記ハウジングは非導電性であるとすることができる。
【００２５】
本発明によれば、前記第１のプリント回路は、該第１のプリント回路の上面上に配置されてダイポールアンテナを形成する第１の回路配置部及び複数巻きプリントアンテナを備えることができ、前記上面は、前記荷重バーと接触することができる前記ハウジングの面から最も遠い前記ハウジングの面に隣接している。
【００２６】
本発明によれば、前記第１のプリント回路は、多層型であり、中間層における単一の回路配置部と、アレイアンテナを形成する、前記第１のプリント回路の上面上に配列された平行な素子を有するプリントアンテナとを備えることができ、前記単一の回路配置部は、前記プリントアンテナと、前記荷重バーと接触することができる前記ハウジングの前記面との間に挿入されている。
【００２７】
本発明によれば、前記モーションセンサーは、下面上の回路配置部と、アレイアンテナを形成する、上面上に配置された平行な素子を有するプリントアンテナとを備える第２のプリント回路を備えることができ、前記回路配置部は、前記プリントアンテナと、前記荷重バーと接触することができるハウジング面との間に挿入されている。
【００２８】
本発明によれば、前記モーションセンサーは、前記荷重バーと接触することができる前記ハウジングの面から最も遠い前記ハウジングの一方の面上に導電体を堆積させることによって得られたアンテナを備えることができる。
【図面の簡単な説明】
【００２９】
【図１】本発明によるモーションセンサーを備えるホームオートメーション装置を図式的に示す図である。
【図２】モーションセンサーの種々の機能ブロックを示す図である。
【図３】アンテナの第１の実施形態におけるモーションセンサーの構成要素の配置を図式的に示す正面図である。
【図４Ａ】巻き取り可能要素の荷重バーに対して垂直な切断面におけるモーションセンサーの連続した断面のうちの１つを示す図である。
【図４Ｂ】巻き取り可能要素の荷重バーに対して垂直な切断面におけるモーションセンサーの連続した断面のうちの１つを示す図である。
【図４Ｃ】巻き取り可能要素の荷重バーに対して垂直な切断面におけるモーションセンサーの連続した断面のうちの１つを示す図である。
【図４Ｄ】巻き取り可能要素の荷重バーに対して垂直な切断面におけるモーションセンサーの連続した断面のうちの１つを示す図である。
【図５】モーションセンサーのウェイクアップセルの断面を示す図である。
【図６】モーションセンサーのウェイクアップセルの代替的な実施形態を示す図である。
【図７】モーションセンサーのアンテナの第２の実施形態を示す図である。
【発明を実施するための形態】
【００３０】
図１は、本発明によるモーションセンサー１を備えるホームオートメーション装置１００を図式的に示している。参照符号１００を有する矢印によって示されるような図の右側部分は、巻き取られた位置にあるローラーシャッターの簡略化した部分側面図である。このローラーシャッターは、巻き取り可能要素１０を構成する。この巻き取り可能要素の第１の端１１は自由である一方、第２の端１２は巻き取り管１３に接続されている。このローラーシャッターは、接合部１４ｂによって互いに接続されたスラット１４ａを備える。これらの接合部によって、２つの連続したスラット間に角度的な遊びをもたらすことができる。また、場合によっては、これらの接合部によって、スラット間の間隔を可変にすることもできる。巻き取り管は、当該巻き取り管を双方の回転方向に駆動し、巻き出しの際にはシャッターが閉鎖し、巻き取りの際にはシャッターが開放することを可能にするアクチュエーター１５を備える。巻き取り管は、例えば折り返し鋼（folded steel）製のボックス１６内に配置されている。このボックスは、ローラーシャッターが動くときに通過する長手方向の開口、すなわちスリット１７を備える。シャッターの自由端は、荷重バー１８に固定されている。
【００３１】
モーションセンサー１は、荷重バー上に取り付けられている。そのセンサーの主要機能は、シャッターの巻き出し又は巻き取りの際における、双方向矢印Ａ１によって示される主要動作方向における動作の変化を検出することである。この主な動作方向は、機能的な意味での方向を指し、建物正面のローラーシャッターの場合には鉛直方向である。ローラーシャッターが、屋根の斜面に従って傾斜した屋根窓に設置されている場合、主要動作方向は屋根の傾斜方向である。センサーは、好ましくは、末端スラットの水平状態を検出することも可能にし（末端スラットの水平状態は、例えば、シャッターがスライドのうちの一方にロックされるとき若しくはスライドの近くに障害物が存在することによって変更される）、及び／又は、風若しくは不法侵入の試みに起因して、シャッターの動作平面に対して垂直な平面内で揺れる。
【００３２】
従来技術と同様に、モーションセンサーは、第１の無線周波数信号３０をアクチュエーターに送信することができ、及び／又は、主要動作方向における動作に変動が生じたときに第２の無線周波数信号３１をアラーム２０（若しくは別のホームオートメーション装置）に送信することができる。
【００３３】
モーションセンサーは、荷重バーの外側であって、荷重バーと、住宅内にある外面１９ａ及び内面１９ｂを有する窓１９との間に固定される。したがって、モーションセンサーは外部からは見えない。シャッターが下げられた位置にあるとき、モーションセンサーは外部からアクセスすることができない。
【００３４】
モーションセンサーは、その非常に小さな厚さ、好ましくは１ｃｍ未満、例えば５ｍｍと８ｍｍとの間に含まれる厚さのために、荷重バーが開口１７を通過することを妨げない。
【００３５】
図示しない下げられた位置では、モーションセンサーは、窓の縁とローラーシャッターとの間の縮小空間内に収まることもできる。
【００３６】
図１の左側部分は、末端スラット及びモーションセンサーの正面図を示している。末端スラットは、シャッターの図示しない側方スライド内に挿入されて当該スライドによってガイドされる２つの端１８ａ及び１８ｂを備える。
【００３７】
モーションセンサーは、ハウジング２と、例えばねじ又は接着剤によって荷重バーに固定する手段３と、破線の長方形の形状で示される、ハウジングに含まれる電子モジュール４とを備える。ハウジング２は、非導電性とすることができ、例えばプラスチック製とすることができる。
【００３８】
代替的に、モーションセンサーは、エプロン部のスラット上、例えば荷重バーが取り付けられるスラット上に取り付けることもできる。この構成は、荷重バーがエプロン部のスラットよりも大きな厚さを有する場合、例えば、荷重バーが長手方向のスリットに蓋をするように機能するときに特に有利であり得る。
【００３９】
図２は、モーションセンサーの種々の機能ブロックを示している。モーションセンサーは、エネルギー蓄積手段４１、例えば一次電池を備える。この一次電池は、好ましくは、モーションセンサーに１０年間の機能的自律性を与えることを可能にする。代替的に、２つの一次電池を用いることもできるし、モーションセンサーが無線周波数受信手段を備える場合には、それよりも多くの一次電池を用いることもできる。蓄積手段は、例えば、太陽電池パネルによって再充電されるスーパーキャパシタを含む静電容量型とすることもできる。
【００４０】
エネルギー蓄積手段は、所定の検出閾値を上回る運動が検出されたときにのみセンサーの電子回路をオンにすることができる慣性条件付き供給手段（inertial conditional supply means）４２、すなわちウェイクアップセルに接続されている。この慣性条件付き供給手段は、電力を維持する信号の受信後は、電子回路に電力を供給し続けることもできる。
【００４１】
好ましくは、検出閾値は、主要動作方向Ａ１における重力加速度の値の０．２倍（０．２ｇ）に設定される。
【００４２】
モーションセンサーは、例えば、シリコンバーを用いた集積加速度計と、マイクロコントローラーとを備える測定処理ユニット４３も備える。この測定処理ユニットは、慣性条件付き供給手段に接続され、電力を維持する信号を慣性条件付き供給手段に与えることができる。測定処理ユニットは、一方向無線回路型（送信機）又は双方向無線回路型（送受信機）の無線周波数ユニット４４にも接続されている。この無線周波数ユニットは、実施形態に応じて参照符号４５又は４６を有するアンテナに接続されている。
【００４３】
図３は、アンテナの第１の実施形態におけるモーションセンサーの構成要素の配置を図式的に示す正面図である。
【００４４】
この第１の実施形態では、アンテナ４５はダイポール型である。第１のプリント回路４７は、電子部品を支持及び接続することを可能にする。この第１のプリント回路は、少なくとも、エネルギー蓄積手段が配置される箇所である第１のキャビティ４１ａと、慣性条件付き供給手段が配置される箇所である第２のキャビティ４２ａとが中空にされている。したがって、第１のプリント回路は、第１のキャビティ及び第２のキャビティを取り囲むことが好ましい。第１のプリント回路は、一方のキャビティ又は双方のキャビティの外部にあることが好ましい。いずれの場合も、後に見られるように、第１のプリント回路の主平面は、慣性条件付き供給手段及び蓄積手段を通過する。
【００４５】
第１のプリント回路は、その上面にプリント複数巻きアンテナ４５ａ（網掛けされた正方形による図形で示される）を備え、その上面には第１の回路配置部（floor plan：フロアプラン）４８も備える。アンテナ４５は、ダイポールを形成するこれらのプリントアンテナ及び回路配置部の組み合わせによって形成される。
【００４６】
この構成は、図４Ａ〜図４Ｄの断面図によって詳しく示されている。この構成は、ダイポールアンテナを荷重バーから可能な限り遠くに移動させることを可能にし、例えば、６ｍｍ厚のハウジングについてはアンテナと荷重バーとの間に５ｍｍの距離を保証することを可能にする。
【００４７】
図４Ａ〜図４Ｄは、巻き取り可能要素の荷重バーに対して垂直な切断面に沿ったモーションセンサーの連続した断面図を示している。
【００４８】
図４Ａは、方向Ａ１Ａ’１の断面に対応している。その断面では、ハウジング２は、荷重バーと接触するように設計された第１の面ＦＡと、第２の面ＦＢとを備える。アンテナは、可能な限りＦＢの近くに配置されている。ハウジングの壁厚は、好ましくは、１ｍｍ以下である。
【００４９】
第１のプリント回路は、当該回路の上面及び下面に対して平行であるとともにその厚さの中央において当該回路を横切る主平面Ｐ１を規定している。図４Ａの平面に対して垂直なこの平面の輪郭が、一点鎖線によって示されている。
【００５０】
図４Ｂは、方向Ｂ１Ｂ’１の断面に対応している。この断面は、第１のプリント回路の上面上の第１のレイアウト部４８と、その下面上のトラック４９とを示している。電子部品、例えば、測定処理ユニット４３の加速度計及び無線周波数ユニット４４の回路にも、切断面が横切っている。
【００５１】
図４Ｃは、方向Ｃ１Ｃ’１の断面に対応している。この断面は、第１のキャビティ４１ａを示している。この第１のキャビティは、第１のプリント回路内の凹部の形態であり、エネルギー蓄積手段４１を形成するボタン電池型の主電池用のものである。したがって、エネルギー蓄積手段は、第１のプリント回路の拡張部に挿入されている。
【００５２】
可撓性接点４１ｂによって、第１のプリント回路への主電池の図示しない接続が可能になる。例えば、ボタンセルの２つの面に対して平行な、蓄積手段の最大寸法を含めることによって規定される蓄積手段の中央平面が、蓄積手段の主平面Ｐ２を構成する。図４Ｃの平面に対して垂直なその平面の輪郭が、一点鎖線によって示されている。
【００５３】
図４Ｄは、方向Ｄ１Ｄ’１の断面に対応している。この断面は、慣性条件付き供給手段４１を形成するウェイクアップセルの第２のハウジング４２ａを示している。この第２のハウジングは、第１のプリント回路内の凹部の形態である。したがって、条件付き供給手段は、第１のプリント回路の拡張部に挿入されている。
【００５４】
可動質量体４２ｂが、２つの固定接点４２ｄ間において可撓性ブレード４２ｃによって懸吊されている。主動作方向Ａ１におけるいずれの十分な加速度運動によっても、可動質量体は動き、その運動方向にある固定接点のうちの一方と接触する。接触が確立されると、測定処理ユニットの図示しないトランジスタ又は他の装置が、回路に電力を供給し続けることを可能にする。
【００５５】
電力供給手段の中央平面は、可動質量体の最大寸法及び主運動方向によって規定され、電力供給手段の主平面Ｐ３を構成する。図４Ｄの平面に対して垂直なその平面の輪郭が、一点鎖線によって示されている。
【００５６】
一般に、モーションセンサーのハウジングは、モーションセンサーの主軸を形成する方向ＸＸ’のより大きな寸法を有する長さと、方向ＺＺ’の幅と、方向ＹＹ’の厚さとを有する。方向ＺＺ’は、主運動方向Ａ１に対して平行である。鉛直に動くローラーシャッターの場合、方向ＸＸ’及びＹＹ’は水平であり、方向ＺＺ’は鉛直である。
【００５７】
本発明の意味における主平面は、方向ＸＸ’を有する軸と方向ＹＹ’を有する軸とを含む平面に対して少なくとも平行であり、このことは、第１のプリント回路、蓄積手段、及びウェイクアップセルに当てはまる。
【００５８】
したがって、モーションセンサーは、方向ＹＹ’において可能な限り最小の寸法を有する。
【００５９】
図５は、主平面Ｐ３に沿った断面におけるモーションセンサーのウェイクアップセル４２を示している。このセルは、第１の金属箔４２ｃによって懸吊された可動質量体４２ｂを備える。この第１の金属箔は、その各端が可動質量体内及びウェイクアップセルの支持ハウジング４２ｇ内に埋め込まれており、第２のキャビティ４２ａと協働するように設計されている。この可動質量体及び箔は、導電材料製である。第１の固定接点４２ｄ及び第２の固定接点４２ｆは、主平面Ｐ３における可動質量体の動作中、その動作が十分な振幅を有する場合に電気的接触を確立するように配置されている。ウェイクアップセルの感度は、特に、第１の金属箔の剛性及びその寸法と、可動質量体の質量と、可動質量体と固定接点との間の遊びと、によって決まる。これらの要素は、０．０５ｇと０．４ｇとの間に含まれる加速度、好ましくは０．２ｇの加速度の場合に接触を確立するように寸法決めされている。
【００６０】
金属箔及び固定接点は、第１のプリント回路にそれぞれ接続されている。上述したように、一時的な接触がウェイクアップセルにおいて検出されると、トランジスタ等の第２の接触手段が、（信号の処理期間中）永続的な接触を確立するのに用いられる。
【００６１】
図６は、動作センサーのウェイクアップセルの代替的な実施形態を、ここでは主平面Ｐ２と組み合わされた主平面Ｐ３に沿った断面で示している。この代替的なものは、エネルギー蓄積手段を慣性条件付き供給手段と協働させる興味のある特徴を有する。この代替的なものは、可動質量体として一次電池４１を用いることからなる。
【００６２】
一次電池は、（ここでは、第２のキャビティと組み合わされた）第１のキャビティ４１ａに配置され、この第１のキャビティを規定する第１のプリント回路の内側縁４７ａ及び４７ｂによって鉛直に（又は主動作方向に）ガイドされる。一次電池は、導電性型の第２の金属箔４２ｊ上に載置されている。この第２の金属箔は、第１の端が第１のプリント回路の接続部４２ｇに溶接され、第２の端は自由であり、一次電池の鉛直の動作の場合に、第１のプリント回路上に取り付けられた第３の固定接点４２ｋ及び／又は第４の固定接点４２ｍ間で動くことができる。これらの接続部及び固定接点は、一組の破線４２ｐによって示されるように、ウェイクアップ回路４２ｎに接続されている。したがって、電池の動作は、第２の金属箔と各固定接点とを分離する遊びに等しい動作の際に、ウェイクアップ回路の電池の正極への接続が一時的に出現することによって検出可能であるとともに、電力供給の維持は、第２の金属箔と接続部４２ｇとの永続的な接続によって可能にされる。
【００６３】
代替的に、鉛直のガイドは、ハウジングの内壁によって行うことができる。電池の負極との永続的な接続は、図示しない摺動接点によって確保される。
【００６４】
図７は、モーションセンサーのアンテナの第２の実施形態４６を示している。この実施形態は、ネットワークパッチ（network patch）型のプリントアンテナを用いる。このネットワークパッチ型のプリントアンテナの使用は、この種の用途では知られていない。このプリントアンテナは、数百メガヘルツ（例えば８６８ＭＨｚ）と数ギガヘルツ（例えば２．４ＧＨｚ）との間に含まれる周波数を用いる。
【００６５】
図の左側部分に上面図で示されている第２のプリント回路４６ａ上には、励磁器素子４６ｃ、第１の放射素子４６ｄ及び第２の放射素子４６ｇ、第１の反射器素子４６ｆ及び第２の反射器素子４６ｈとしてそれぞれ機能する平行な導電性トラックが印刷されている。これらの最後の４つの素子は、第２のプリント回路の厚さ内にあるビア４６ｉによって第２の回路配置部４６ｂに接続されている。したがって、この構造は八木アンテナと同様である。この構造は、放射素子又は反射器素子を半波長に対して大幅に短くすることを可能にするという利点を有するが、シミュレーションによって最適化される精密な寸法決めを要する。この構造は、中でも特に、第２の回路配置部４６ｂの背後に位置する金属質量体の存在の影響を比較的受けないという利点を有する。平行なトラックによって形成されたアンテナの能動素子は、文献によっては他の用語によって示される場合がある。
【００６６】
素子間の電磁結合を最適化するには、それらの素子が互いに非常に接近しているとともに精密な幾何学的配列に従っていることが必要である。
【００６７】
一例として、８６８ＭＨｚの周波数の場合、放射反射器素子のトラックは、３．８５ｍｍの幅を有する一方、励磁器素子の幅は２．７５ｍｍである。信号は、励磁器素子の左端で注入される（又は収集される）。励磁器素子と放射素子との間の離隔距離は０．３４ｍｍである一方、放射素子と反射器素子との間の離隔距離は０．２３ｍｍである。反射器素子は１０４ｍｍの長さを有し、励磁器素子の端と反射器素子の端との間の長さは１３５ｍｍである。第２の回路配置部は、１５０ｍｍの長さ及び２７ｍｍの幅を有する。
【００６８】
当然ながら、他の値及びより多くの数の反射器素子が可能である。
【００６９】
このアンテナについて、モーションセンサーが自由場にある状況と、モーションセンサーがアルミニウムシャッターの荷重バー上に配置され、このとき、アンテナが荷重バーから４ｍｍ未満に位置している状況との間で、実験は１ｄＢ未満の利得損失を示した。したがって、このモーションセンサーは、ＰＶＣプラスチックシャッターに設置されているときでも、アルミニウムシャッターに設置されているときでも、同じ送信挙動を有するという利点を有する。
【００７０】
図７の右側部分は、この第２の実施形態による第１のプリント回路４７及びアンテナ４６の相対配置を示すモーションセンサーの断面を示している。
【００７１】
第１の回路配置部及び第２の回路配置部が準接触状態にあるこの図によって示唆されるように、１つの代替的な実施形態（図示せず）は、単一の回路配置部の寸法がアンテナの構造によって規定される寸法であるという条件で、その単一の回路配置部を内部層に備える単一の多層プリント回路を用いることからなる。したがって、この回路配置部は、アンテナの能動素子と第１の面ＦＡとの間に挿入される。
【００７２】
代替的な実施形態（図示せず）では、双極アンテナ（dipolar antenna）又はアレイ型アンテナは、ハウジングの第２の面ＦＢ上に導電体を堆積させることによって作製される。そのような構成は、アレイアンテナの場合よりも双極アンテナについて実施するのが容易であり、厚さの点で一層の節減を可能にする。この堆積は、例えば、導電性インクを用いてスクリーン印刷することによって行われ、その後、保護及び装飾の上塗りを用いて被覆される。無線周波数ユニット４４のアンテナアウトレットとの電気的接触は、ハウジングの厚さを貫通する導電性フィードスルーによって行われる。
【００７３】
代替的に、アンテナは、ハウジングの第２の面の厚さ内に少なくとも部分的にオーバーモールドされる。
【００７４】
代替的に、第１のプリント回路及び第２のプリント回路は、ハウジングのより小さな厚さを保証するために互いの拡張部内に配置される。
【００７５】
モーションセンサーの１つの特に薄い実施形態は、第２のプリント回路、第１のプリント回路、ウェイクアップセルのハウジング、及び最後に電池用のキャビティを方向ＸＸ’に沿って直列に配置することからなる。これらの電池は、円盤形の標準的なボタン電池とすることができ、好ましくは、丸みのある縁を有する長方形の形状の特定のハウジングが、所与の厚さに対して蓄積容量を増加させるように開発されてもよい。代替的に、第１のキャビティ又は第２のキャビティとして機能する単一の凹部が第１のプリント回路に形成されるとともに、他方のキャビティが、方向ＸＸ’に沿って第１のプリント回路の一方又は他方の側に配置される。
【００７６】
この実施形態では、エネルギー蓄積手段及び慣性条件付き供給手段は、第１のプリント回路の拡張部に挿入され、その拡張部は、エネルギー蓄積手段及び慣性条件付き供給手段の双方を横切る。
【００７７】
したがって、第１のプリント回路の拡張部は、第１のプリント回路によって取り囲まれるように拡張することもできるし、プリント回路を、その縁のうちの一方又は他方から方向ＸＸ’に拡張するように拡張することもできる。
【００７８】
「第１のプリント回路の拡張部に挿入される」という用語は、本明細書では、「第１のプリント回路の拡張部に通される（又は当該拡張部を横切る）」と同じ意味を有する。
【図１】
2013544987.tif 000003
【図２】
2013544987.tif 000004
【図３】
2013544987.tif 000005
【図４Ａ】
2013544987.tif 000006
【図４Ｂ】
2013544987.tif 000007
【図４Ｃ】
2013544987.tif 000008
【図４Ｄ】
2013544987.tif 000009
【図５】
2013544987.tif 000010
【図６】
2013544987.tif 000011
【図７】
2013544987.tif 000012
【国際調査報告】
2013544987.tif 000013
2013544987.tif 000014
2013544987.tif 000015
2013544987.tif 000016